(57)【特許請求の範囲】
【請求項１】
二つ折り重合する左右の支承部材の裏面の突き合わせ側前後に夫々脚取付部を設け、この左右の脚取付部を夫々枢着連結して前記左右の支承部材を突き合わせ連結し、前記脚取付部に夫々脚部を枢着し、前記左右の支承部材を垂下回動し前記脚部を挟むようにして折り畳み重合し得るように構成した折り畳み可能なテーブルや椅子などの支承体において、バネ性を有する一対のコ字状線材の架設杆部を前記支承部材同志の突き合わせ縁と交差するように前記支承部材裏面に沿設配設し、前後の垂下杆部の端部を夫々前後対角状に対向する前記脚部に連結して、このコ字状線材の架設杆部同志をＸ状に前記支承部材裏面に配して前後対角状に対向する前記脚部同志を夫々連結し、このコ字状線材の支承部材裏面方向へのスライドをガイドするガイド部を前記脚取付部に夫々設け、前記左右の支承部材を折り畳み重合若しくは左右の脚部を重合させることで、前記左右の支承部材の回動と共に前記コ字状線材はねじれを生じこのねじれ復帰力に抗して前記ガイド部に沿って突き合わせ縁側にスライド移動すると共に、前記左右の支承部材を垂下回動させることで前記ねじれ復帰力は支承部材に働かず、前記脚部を挟んで前記支承部材を折り重合した状態が保持されるように構成したことを特徴とする折り畳み可能なテーブルや椅子などの支承体。
【請求項２】
前記コ字状線材に係る垂下杆部の先端を折曲し、この折曲部を前後対角状に対向する脚部夫々に枢着して、コ字状線材を当該脚部同志間に架設連結したことを特徴とする請求項１記載の折り畳み可能なテーブルや椅子などの支承体。
【請求項３】
前記脚取付部夫々に設けたガイド部に、コ字状線材の支承部材裏面方向にして支承部材の外縁方向へのスライド移動を規制するスライド規制部を設けたことを特徴とする請求項１，２のいずれか１項に記載の折り畳み可能なテーブルや椅子などの支承体。
【発明の詳細な説明】
【０００１】
【発明の属する技術分野】
本発明は、折り畳み可能なテーブルや椅子などの支承体に関するものである。
【０００２】
【従来の技術及び発明が解決しようとする課題】
従来から、例えばキャンプ場などのアウトドアで使用され、持ち運びや収納に便利な折り畳み可能なテーブルや椅子が種々提案されている。
【０００３】
本出願人は、これらの折り畳み可能なテーブルや椅子に着目し、従来にない構造から良好な使用状態及び折り畳み状態が得られ、しかも、簡易構造故に量産面及びコスト面においても秀れることになるなど、極めて商品価値の高い画期的な折り畳み可能なテーブルや椅子などの支承体を発明した。
【０００４】
【課題を解決するための手段】
添付図面を参照して本発明の要旨を説明する。
【０００５】
二つ折り重合する左右の支承部材１の裏面の突き合わせ側前後に夫々脚取付部２を設け、この左右の脚取付部２を夫々枢着連結して前記左右の支承部材１を突き合わせ連結し、前記脚取付部２に夫々脚部３を枢着し、前記左右の支承部材１を垂下回動し前記脚部３を挟むようにして折り畳み重合し得るように構成した折り畳み可能なテーブルや椅子などの支承体において、バネ性を有する一対のコ字状線材４の架設杆部４Ａを前記支承部材１同志の突き合わせ縁５と交差するように前記支承部材１裏面に沿設配設し、前後の垂下杆部４Ｂの端部を夫々前後対角状に対向する前記脚部３に連結して、このコ字状線材４の架設杆部４Ａ同志をＸ状に前記支承部材１裏面に配して前後対角状に対向する前記脚部３同志を夫々連結し、このコ字状線材４の支承部材１裏面方向へのスライドをガイドするガイド部６を前記脚取付部２に夫々設け、前記左右の支承部材１を折り畳み重合若しくは左右の脚部３を重合させることで、前記左右の支承部材１の回動と共に前記コ字状線材４はねじれを生じこのねじれ復帰力に抗して前記ガイド部６に沿って突き合わせ縁５側にスライド移動すると共に、前記左右の支承部材１を垂下回動させることで前記ねじれ復帰力は支承部材１に働かず、前記脚部３を挟んで前記支承部材１を折り重合した状態が保持されるように構成したことを特徴とする折り畳み可能なテーブルや椅子などの支承体に係るものである。
【０００６】
また、前記コ字状線材４に係る垂下杆部４Ｂの先端を折曲し、この折曲部４Ｂ’を前後対角状に対向する脚部３夫々に枢着して、コ字状線材４を当該脚部３同志間に架設連結したことを特徴とする請求項１記載の折り畳み可能なテーブルや椅子などの支承体に係るものである。
【０００７】
また、前記脚取付部２夫々に設けたガイド部６に、コ字状線材４の支承部材１裏面方向にして支承部材１の外縁方向へのスライド移動を規制するスライド規制部７を設けたことを特徴とする請求項１，２のいずれか１項に記載の折り畳み可能なテーブルや椅子などの支承体に係るものである。
【０００８】
【発明の実施の形態】
好適と考える本発明の実施の形態（発明をどのように実施するか）を、図面に基づいてその作用効果を示して簡単に説明する。
【０００９】
本発明は、左右の支承部材１を折り畳み重合若しくは左右の脚部３を重合させると、左右の支承部材１の回動と共にコ字状線材４はねじれを生じ、且つ、このねじれ復帰力に抗して前記ガイド部６に沿って突き合わせ縁５側にスライド移動することになり、そして、前記左右の支承部材１を垂下回動させることで前記ねじれ復帰力は支承部材１に働かない状態となり、前記脚部３を挟んで前記支承部材１を折り重合した状態が保持される。
【００１０】
ところで、本発明は、前述したように、この左右の支承部材１を開き方向へ付勢する付勢力をコ字状線材４により得ている。具体的には、バネ性を有する一対のコ字状線材４の架設杆部４Ａを前記支承部材１同志の突き合わせ縁５と交差するように前記支承部材１裏面に沿設配設し、前後の垂下杆部４Ｂの端部を夫々前後対角状に対向する前記脚部３に連結して、このコ字状線材４の架設杆部４Ａ同志をＸ状に前記支承部材１裏面に配して前後対角状に対向する前記脚部３同志を夫々連結しており、この左右の支承部材１の回動に伴うコ字状線材４のねじれ復帰力を当該支承部材１を開き方向へ付勢する付勢力とし、更に、このねじれ復帰力は、左右の支承部材１を垂下回動させることで支承部材１に働かない状態となるように構成されている。
【００１１】
従って、このコ字状線材４を使用した従来にない画期的な構造を採用することにより、折り畳み構造を備えた支承体における良好な使用状態（左右の支承部材１を開いた状態）及び折り畳み状態（左右の支承部材１を閉じた状態）が確実に得られることになる。
【００１２】
【実施例】
図１〜１０は本発明の第一実施例、図１１は第二実施例であり、以下に説明する。
【００１３】
第一実施例について説明する。
【００１４】
第一実施例は、左右の支承部材１を垂下回動することで脚部３を挟むようにして折り畳み重合し得るように構成したものである。尚、第一実施例では折り畳み構造を具備する支承体としてテーブルを採用しているが、本実施例の特性を発揮し得る構成であれば例えば載置台などその応用範囲は多岐に亙るものである。
【００１５】
具体的には、図１，２に図示したように一対の支承部材１としてのテーブル板の裏面の突き合わせ側前後位置（４カ所）に夫々脚取付部２が設けられている。
【００１６】
この脚取付部２は、図２に図示したように適宜な金属製の板材で構成したものであり、その一端縁には第一垂下片８が形成され、この第一垂下片８には後述する脚部３が枢着されている。従って、テーブル板１と脚部３とは互いに相対回動自在となる（図３，４参照）。
【００１７】
また、第一垂下片８は、テーブル板１夫々の突き合わせ縁５同志を突き合わせた状態において、対向する他の脚取付部２に係る第一垂下片８と重合枢着されている。従って、左右のテーブル板１は、この脚取付部２同志の枢着連結により垂下回動（互いに相対回動）して二つ折り重合可能となり、この際、脚部３もテーブル板１に対して回動自在である為、テーブル板１同志で脚部３を挟んだ状態とすることができる（図３，４参照）。
【００１８】
また、脚取付部２は、前記第一垂下片８が形成された側と対向する他端縁に第二垂下片９が形成され、この第二垂下片９には後述するコ字状線材４をガイドするガイド部６が設けられている。
【００１９】
このガイド部６は、図２，９，１０に図示したように第二垂下片９に所定長さの孔６ａを形成して構成されており、左右のテーブル板１を開閉させた際、この孔６ａ内をコ字状線材４が脚部３の回動に伴いテーブル板１裏面方向にして左右のテーブル板１の突き合わせ縁５側及びその反対側へスライド移動し得るように構成されている。
【００２０】
また、ガイド部６は、その長さを、脚部３の開き回動に伴いコ字状線材４がテーブル板１の突き合わせ縁５側と反対の外縁側へ十分にスライド移動して左右の脚部３が安定した開き状態（正面から見てハの字状態）となる長さに設定されている。
【００２１】
また、ガイド部６は、その外側端部が閉塞されてコ字状線材４のスライド移動を規制するスライド規制部７として構成されている。このスライド規制部７は、テーブル板１を開き状態とした際、コ字状線材４が当接することで該コ字状線材４に左右のテーブル板１を支持する支持機能を発揮させるものである。
【００２２】
また、ガイド部６は、その内側端部に巾広部６ｂが形成されており、この巾広部６ｂは、左右のテーブル板１を垂下回動させて脚部３を挟んで折り重合させた際、コ字状線材４のねじれ復帰力を十分に作用させない空間として構成されている。
【００２３】
脚部３は、図１〜４に図示したように適宜な金属製のパイプ材10をコ字状に形成して構成したものであり、この各脚部３夫々の上端部は脚取付部２に係る第一垂下片８に枢着連結されている。
【００２４】
また、この各脚部３は、その内面部に孔10ａが形成され、この孔10ａはコ字状線材４に設けられる折曲部４Ｂ’を嵌挿して枢着連結するためのものである。
【００２５】
コ字状線材４は、図１〜５に図示したように適宜な金属製の部材を形成したものであり、架設杆部４Ａと、この架設杆部４Ａの左右位置に折曲形成される垂下杆部４Ｂとで構成され、一対のコ字状線材４を、架設杆部４Ａ同志をＸ状にして前記テーブル板１裏面（脚取付部２のガイド部６）に配し、且つ、各垂下杆部４Ｂを前後対角状に対向する前記脚部３に枢着しており、当該一対のコ字状線材４により前後対角状に対向する脚部３同志を連結している（尚、図５に図示したように一対のコ字状線材４同志は後述する左右の垂下杆部４Ｂにおけるねじれ方向を互いに同一方向には設定されておらず、夫々別の作用を発揮する別部品として構成されている。）。左右の垂下杆部４Ｂ夫々の先端部には折曲部４Ｂ’が形成され、この折曲部４Ｂ’を脚部３に設けた孔10ａに嵌挿して枢着連結し得るように構成されている。
【００２６】
従って、この各脚部３に連結されてＸ状に配されるコ字状線材４同志の開き度合いは脚部３の開閉回動に伴い可変し、このコ字状線材４同志の開き移動が限界に達した際、つまり、脚取付部２のガイド部６に沿って移動するコ字状線材４のスライド移動がスライド規制部７により規制されることで脚部３の開放方向への回動が制限される。
【００２７】
また、各コ字状線材４に係る左右の垂下杆部４Ｂは、互いに逆方向にねじれた関係に設定され、このコ字状線材４を前後対角状に対向する脚部３同志間に組み付けた際、各コ字状線材４のねじれ復帰力が左右のテーブル板１を押し広げる付勢力を発揮するように構成されている。
【００２８】
具体的には、本実施例は、図６，７に図示したようにコ字状線材４に係る左右の垂下杆部４Ｂにおける脚部３との連結部位にて図中矢印ａ，ｂ方向（脚部３の開放方向）へ同時に力が加わることでコ字状線材４全体がねじれ、このコ字状線材４のねじれ復帰力により、コ字状線材４が前後対角状に対向するガイド部６のスライド規制部７を図中矢印ａ’，ｂ’方向へ押し込むことになりテーブル板１を開放させる力（開放状態を保持する力）が生じることになる。
【００２９】
また、本実施例は、左右のテーブル板１を閉じ回動させて折り畳み重合若しくは左右の脚部３を閉じ回動させて重合させた際、コ字状線材４から生じるねじれ復帰力は所定の回動範囲内においてはテーブル板１を開いた状態となるように付勢するように構成され、当該回動範囲を超えて更に左右のテーブル板１を垂下回動させると、ガイド部６に対してコ字状線材４が突き合わせ縁５側にスライド移動してＸ状のコ字状線材４同志の開き角度が狭くなるとともに、ねじれ復帰力が徐々に作用しにくい環境となり、即ち、各コ字状線材４に対するガイド部６の連設位置（当接位置）が該コ字状線材４の中央寄り位置となることで力のかかる方向が変化してねじれ復帰力がテーブル板１を押し上げる力として機能しにくくなり、よって、当該ねじれ復帰力はテーブル板１に十分に働かず、前記脚部３を挟んで前記テーブル板１を折り重合した状態が保持されるように構成されている（図８参照）。
【００３０】
本実施例は上述のように構成したから、左右のテーブル板１を折り畳み重合若しくは左右の脚部３を重合させると、左右のテーブル板１の回動と共にコ字状線材４はねじれを生じ、且つ、このねじれ復帰力に抗してガイド部６に沿って突き合わせ縁５側にスライド移動することになり、そして、左右のテーブル板１を垂下回動させることで前記ねじれ復帰力はテーブル板１に働かない状態となり、前記脚部３を挟んで前記テーブル板１を折り重合した状態が保持される。
【００３１】
よって、本実施例によれば、コ字状線材４を使用した従来にない画期的な構造を採用することにより、折り畳み構造を備えたテーブルにおける良好な使用状態（左右のテーブル板１を開いた状態）及び折り畳み状態（左右のテーブル板１を閉じた状態）が確実に得られることになる。
【００３２】
次に、第二実施例について説明する。
【００３３】
第二実施例は、図１１に図示したように左右の支持部材１としての座板（クッション）を垂下回動することで脚部３を挟むようにして折り畳み重合し得る椅子として構成した場合であり、第一実施例と同様の折り畳み構造（コ字状線材４を利用した折り畳み構造）を具備せしめている。
【００３４】
その余は第一実施例と同様である。
【００３５】
【発明の効果】
本発明は上述のように構成したから、折り畳み構造を備えた支持体における良好な使用状態（左右の支持部材を開いた状態）及び折り畳み状態（左右の支持部材を閉じた状態）が確実に得られることになり、しかも、簡易構造故に量産面及びコスト面においても秀れることになるなど極めて商品価値の高い画期的な折り畳み可能なテーブルや椅子などの支承体となる。
【００３６】
また、請求項２記載の発明においては、前記請求項１記載の発明の作用効果に加え、より簡易構造となり量産面及びコスト面において秀れることになるなど極めて商品価値の高い画期的な折り畳み可能なテーブルや椅子などの支承体となる。
【００３７】
また、請求項３記載の発明においては、前記請求項１，２記載の発明の作用効果に加え、コ字状線材のスライド移動を規制することで、テーブル板及び脚部の開いた状態を確実に保持して良好な使用状態が得られることになるなど極めて商品価値の高い画期的な折り畳み可能なテーブルや椅子などの支承体となる。
【図面の簡単な説明】
【図１】第一実施例を示す斜視図である。
【図２】第一実施例を示す斜視図である。
【図３】第一実施例を示す正面図である。
【図４】第一実施例の概略動作説明図である。
【図５】本実施例に係る要部の説明図である。
【図６】本実施例に係る要部の説明図である。
【図７】第一実施例を説明する底面図である。
【図８】第一実施例の概略動作説明図である。
【図９】第一実施例に係る要部の概略動作説明図である。
【図１０】本実施例に係る要部の概略動作説明図である。
【図１１】第二実施例を示す斜視図である。
【符号の説明】
１  支承部材
２  脚取付部
３  脚部
４  コ字状線材
４Ａ  架設杆部
４Ｂ  垂下杆部
４Ｂ’  折曲部
５  突き合わせ縁
６  ガイド部
７  スライド規制部
【図１】
0003584215.tif 000002
【図２】
0003584215.tif 000003
【図３】
0003584215.tif 000004
【図４】
0003584215.tif 000005
【図５】
0003584215.tif 000006
【図６】
0003584215.tif 000007
【図７】
0003584215.tif 000008
【図８】
0003584215.tif 000009
【図９】
0003584215.tif 000010
【図１０】
0003584215.tif 000011
【図１１】
0003584215.tif 000012